(57)【要約】【課題】出荷先の国や地域に合った通信条件で無線通信の設定を行い、これを外観上でも確認することのできる無線通信装置、無線通信設定方法および無線通信設定プログラムを得ること。【解決手段】通信条件読出手段１４は、スイッチデバイス１３を構成するスイッチの外観で識別可能なオン・オフの組み合わせに対応する通信条件を通信条件対応テーブル格納手段１１に格納されているテーブルから読み出す。通信条件設定手段１５はこれを用いて該当する国または地域の通信条件を無線通信手段１２に設定する。【選択図】図１
2013165427.tif 000002
【特許請求の範囲】
【請求項１】
特定の通信形態の無線通信を行う際の通信条件が全世界的に統一されていないときこれらの通信条件の違いを国や地域ごとのグループに分けて各グループの通信条件をテーブル化した通信条件対応テーブルを格納する通信条件対応テーブル格納手段と、
前記無線通信を行う無線通信手段と、
この無線通信手段を収容した筐体内部に取り付けられた無線基板に実装され前記グループの種類を複数のスイッチのオン・オフの組み合わせによって視覚的かつ電気的に特定可能なスイッチデバイスと、
このスイッチデバイスを構成する前記複数のスイッチのオン・オフの組み合わせで特定されるグループの種類に対応する通信条件を前記通信条件対応テーブルから読み出す通信条件読出手段と、
この通信条件読出手段の読み出した通信条件に前記無線通信手段を設定する通信条件設定手段
とを具備することを特徴とする無線通信装置。
【請求項２】
装置各部に電源を供給する電源スイッチを備え、この電源スイッチがオンになったとき前記通信条件読出手段が前記通信条件対応テーブルからグループの種類に対応する通信条件を読み出し、前記通信条件設定手段がこれを基にしてその読み出した通信条件に前記無線通信手段を設定することを特徴とする請求項１記載の無線通信装置。
【請求項３】
前記スイッチデバイスを構成する前記複数のスイッチのオン・オフの組み合わせから該当するグループの種類を解読するグループ種類解読手段と、
このグループ種類解読手段の解読したグループの種類に該当する国または地域を表示する該当国・地域表示手段
を更に具備することを特徴とする請求項１記載の無線通信装置。
【請求項４】
前記特定の通信形態は無線ＬＡＮ（Local Area Network）であることを特徴とする請求項１記載の無線通信装置。
【請求項５】
前記スイッチデバイスは、ディップスイッチであることを特徴とする請求項１記載の無線通信装置。
【請求項６】
前記該当国・地域表示手段がグループ種類解読手段の解読したグループの種類に該当する国または地域を表示し、これに対して承認を示す入力があったとき前記通信条件設定手段が通信条件を設定することを特徴とする請求項３記載の無線通信装置。
【請求項７】
前記該当国・地域表示手段は、該当する国または地域を視覚的あるいは聴覚的に表示することを特徴とする請求項６記載の無線通信装置。
【請求項８】
装置各部に電源を供給する電源スイッチがオンになったとき、無線基板に実装されたグループ識別用の特定のディップスイッチを構成する複数のスイッチのオン・オフの組み合わせを読み取るディップスイッチ読取ステップと、
特定の通信形態の無線通信を行う際の通信条件が全世界的に統一されていないときこれらの通信条件の違いを国や地域ごとのグループに分けて各グループの通信条件をテーブル化した通信条件対応テーブルから前記ディップスイッチ読取ステップで読み取った前記複数のスイッチのオン・オフの組み合わせに対応するグループの種類についての通信条件を読み出す該当グループ通信条件読出ステップと、
無線通信を行うための無線通信手段を前記該当グループ通信条件読出ステップで読み出した通信条件に設定する通信条件設定ステップ
とを具備することを特徴とする無線通信設定方法。
【請求項９】
前記該当グループ通信条件読出ステップで該当するグループの通信条件を読み出したときこれをユーザに通知する通知ステップと、この通知ステップで通知した通信条件に対してユーザが承認の入力を行ったときこれを検知する承認入力検知ステップとを更に備え、承認入力検知ステップでユーザが承認の入力を行ったことを検知したときにのみ前記通信条件設定ステップで通信条件を設定することを特徴とする請求項８記載の無線通信設定方法。
【請求項１０】
コンピュータに、
装置各部に電源を供給する電源スイッチがオンになったとき、無線基板に実装されたグループ識別用の特定のディップスイッチを構成する複数のスイッチのオン・オフの組み合わせを読み取るディップスイッチ読取処理と、
特定の通信形態の無線通信を行う際の通信条件が全世界的に統一されていないときこれらの通信条件の違いを国や地域ごとのグループに分けて各グループの通信条件をテーブル化した通信条件対応テーブルから前記ディップスイッチ読取処理で読み取った前記複数のスイッチのオン・オフの組み合わせに対応するグループの種類についての通信条件を読み出す該当グループ通信条件読出処理と、
無線通信を行うための無線通信手段を前記該当グループ通信条件読出処理で読み出した通信条件に設定する通信条件設定処理
とを実行させることを特徴とする無線通信設定プログラム。
【発明の詳細な説明】
【技術分野】
【０００１】
本発明は、周波数や送信出力等の通信条件が異なる国や地域に製品を出荷したり、これらの国や地域の間で製品を移動させる場合に適した無線通信装置、無線通信設定方法および無線通信設定プログラムに関する。
【背景技術】
【０００２】
無線ＬＡＮユニットは、無線技術を使用してＬＡＮ（Local Area Network）を構築することができる。しかしながら、このような無線通信装置は、電気信号を電波信号に変換して、電波を装置の周辺に送信する。したがって、使用する国や地域によって使用可能なチャンネルや送信出力といった通信環境に制約がある。たとえば日本国では電波法によって無線通信装置ごとに使用できる周波数や送信出力が規制されている。
【０００３】
工業製品の製造や販売がグローバル化すると、１つの国で生産された無線通信装置がその国で販売あるいは使用されるだけでなく、他の国や地域で販売あるいは使用される可能性が生じる。そこで、本発明に関連する第１の関連技術として、無線通信装置の無線基板にＥＥＰＲＯＭ（Electrically Erasable Programmable Read-Only Memory）を使用して、出荷先の国に応じてその記憶内容としての通信条件を変更することが提案されている。
【０００４】
この第１の関連技術では、使用する周波数や送信出力についてたとえば国内用、北米用もしくは欧州用といった幾種類かの設定内容を準備しておき、出荷先の国や地域に応じてそれぞれの設定内容をＥＥＰＲＯＭに書き込んだ無線基板を用意しておく。そして、出荷先の国や地域に適した無線基板を組み込んだ無線通信装置を製造するようにしている。
【０００５】
ところが、この第１の関連技術を採用すると、出荷先の国や地域の数だけの書き込み治具を作成する必要があり、その購入費用が必要になるという問題がある。また、無線基板のＥＥＰＲＯＭに対して書き込み治具を使用して書き込みを行う必要があるので、無線通信装置の組立時間がその分だけ長時間化するという問題がある。更に、書き込んだ設定データが国や地域によって異なってもＥＥＰＲＯＭ自体の外観に変化がない。このため無線基板の外観からでは出荷先の国や地域を判別しにくいという製造管理上の問題もある。
【０００６】
そこで、無線通信装置を構成するメモリ内に各国の周波数や送信出力に突いての通信条件を予め格納しておくと共に、装置内のＩＣタグチップに出荷先の国のコード情報を書き込んでおくことが第２の関連技術として提案されている（たとえば特許文献１参照）。この第２の関連技術によれば、出荷先の国で無線通信装置に電源が投入されると、ＩＣタグチップから読み出されたコード情報を基にしてメモリから該当する国で使用する周波数や送信出力が読み出され、初期設定に用いられる。
【先行技術文献】
【特許文献】
【０００７】
【特許文献１】特開２０１０−２５７１７２（第００３５段落〜第００３７段落、図１）
【発明の概要】
【発明が解決しようとする課題】
【０００８】
この第２の関連技術によれば、たとえば製品の梱包状態で出荷先の国のコード情報を製造国でＩＣタグチップに書き込むようにしている。したがって、その無線通信装置が間違いなく出荷先の国で使用される場合には周波数や送信出力が適合することになり、法令上の問題は発生しない。
【０００９】
しかしながら、出荷先の国が製造後に変更されたり、購入したユーザが出荷先の国と異なる国にその無線通信装置を持って行ったとき、これを適法に使用することができないおそれがある。このような場合にも、無線通信装置の外観でその製品を適法に使用できることが判別できればよいが、出荷先の国のコード情報を書き込んだＩＣタグチップを見てもその判断はできない。
【００１０】
そこで本発明の目的は、出荷先の国や地域に合った通信条件で無線通信の設定を行い、これを外観上でも確認することのできる無線通信装置、無線通信設定方法および無線通信設定プログラムを提供することにある。
【課題を解決するための手段】
【００１１】
本発明では、（イ）特定の通信形態の無線通信を行う際の通信条件が全世界的に統一されていないときこれらの通信条件の違いを国や地域ごとのグループに分けて各グループの通信条件をテーブル化した通信条件対応テーブルを格納する通信条件対応テーブル格納手段と、（ロ）前記した無線通信を行う無線通信手段と、（ハ）この無線通信手段を収容した筐体内部に取り付けられた無線基板に実装され前記したグループの種類を複数のスイッチのオン・オフの組み合わせによって視覚的かつ電気的に特定可能なスイッチデバイスと、（ニ）このスイッチデバイスを構成する前記した複数のスイッチのオン・オフの組み合わせで特定されるグループの種類に対応する通信条件を前記した通信条件対応テーブルから読み出す通信条件読出手段と、（ホ）この通信条件読出手段の読み出した通信条件に前記した無線通信手段を設定する通信条件設定手段とを無線通信装置が具備する。
【００１２】
また、本発明では、（イ）装置各部に電源を供給する電源スイッチがオンになったとき、無線基板に実装されたグループ識別用の特定のディップスイッチを構成する複数のスイッチのオン・オフの組み合わせを読み取るディップスイッチ読取ステップと、（ロ）特定の通信形態の無線通信を行う際の通信条件が全世界的に統一されていないときこれらの通信条件の違いを国や地域ごとのグループに分けて各グループの通信条件をテーブル化した通信条件対応テーブルから前記したディップスイッチ読取ステップで読み取った前記した複数のスイッチのオン・オフの組み合わせに対応するグループの種類についての通信条件を読み出す該当グループ通信条件読出ステップと、（ハ）無線通信を行うための無線通信手段を前記した該当グループ通信条件読出ステップで読み出した通信条件に設定する通信条件設定ステップとを無線通信設定方法が具備する。
【００１３】
更に本発明では、コンピュータに、無線通信設定プログラムとして、（イ）装置各部に電源を供給する電源スイッチがオンになったとき、無線基板に実装されたグループ識別用の特定のディップスイッチを構成する複数のスイッチのオン・オフの組み合わせを読み取るディップスイッチ読取処理と、（ロ）特定の通信形態の無線通信を行う際の通信条件が全世界的に統一されていないときこれらの通信条件の違いを国や地域ごとのグループに分けて各グループの通信条件をテーブル化した通信条件対応テーブルから前記したディップスイッチ読取処理で読み取った前記した複数のスイッチのオン・オフの組み合わせに対応するグループの種類についての通信条件を読み出す該当グループ通信条件読出処理と、（ハ）無線通信を行うための無線通信手段を前記した該当グループ通信条件読出処理で読み出した通信条件に設定する通信条件設定処理とを実行させる。
【発明の効果】
【００１４】
以上説明したように本発明によれば、複数のスイッチのオン・オフの組み合わせによって視覚的かつ電気的に特定可能なディップスイッチ等のスイッチデバイスで通信条件の適合したグループを選択するようにしている。したがって、無線通信装置の仕向け国や地域が変更になったとき、あるいはユーザがその無線通信装置を持って外国に移動するような場合に、スイッチデバイスを構成するスイッチのオン・オフの組み合わせを変えるだけで通信条件を簡単に適合させることができるという効果がある。
【００１５】
また、本発明によればスイッチデバイスあるいはディップスイッチの構成スイッチ数を適宜選択することで、必要十分な数のグループに対応させることができる。しかも複数のスイッチのオン・オフという２値データの形でグループを特定するので、人間による識別が容易である。
【００１６】
更に本発明によれば、無線通信装置内に、通信条件の違いを国や地域ごとのグループに分けて各グループの通信条件をテーブル化した通信条件対応テーブルを格納するようにしている。このため、出荷先の国や地域に応じた設定内容をＥＥＰＲＯＭに個別に書き込む場合に比べて書き込み治具が不要であり、また、書き込みに要する工数を削減することができる。
【図面の簡単な説明】
【００１７】
【図１】本発明の無線通信装置のクレーム対応図である。
【図２】本発明の無線通信設定方法のクレーム対応図である。
【図３】本発明の無線通信設定プログラムのクレーム対応図である。
【図４】本発明の実施の形態による無線通信装置の一例としての無線ＬＡＮユニットの概要を示す斜視図である。
【図５】本実施の形態における無線基板の回路構成の概要を示すブロック図である。
【図６】本実施の形態でディップスイッチを構成する各スイッチとＧＰＩＯインタフェースの接続状態を示した説明図である。
【図７】本実施の形態のリージョンコード対応テーブルの一例を示す説明図である。
【図８】本実施の形態の無線ＬＡＮユニットにおける無線ＬＡＮモジュールの初期設定処理の様子を表わした流れ図である。
【図９】本発明の変形例におけるディップスイッチを構成する各スイッチとＧＰＩＯインタフェースの接続状態を示した説明図である。
【発明を実施するための形態】
【００１８】
図１は、本発明の無線通信装置のクレーム対応図を示したものである。本発明の無線通信装置１０は、通信条件対応テーブル格納手段１１と、無線通信手段１２と、スイッチデバイス１３と、通信条件読出手段１４と、通信条件設定手段１５を備えている。ここで、通信条件対応テーブル格納手段１１は、特定の通信形態の無線通信を行う際の通信条件が全世界的に統一されていないときこれらの通信条件の違いを国や地域ごとのグループに分けて各グループの通信条件をテーブル化した通信条件対応テーブルを格納する。無線通信手段１２は、前記した無線通信を行う。スイッチデバイス１３は、無線通信手段１２を収容した筐体内部に取り付けられた無線基板に実装され前記したグループの種類を複数のスイッチのオン・オフの組み合わせによって視覚的かつ電気的に特定可能なデバイスである。通信条件読出手段１４は、スイッチデバイス１３を構成する前記した複数のスイッチのオン・オフの組み合わせで特定されるグループの種類に対応する通信条件を前記した通信条件対応テーブルから読み出す。通信条件設定手段１５は、通信条件読出手段１４の読み出した通信条件に無線通信手段１２を設定する。
【００１９】
図２は、本発明の無線通信設定方法のクレーム対応図を示したものである。本発明の無線通信設定方法２０は、ディップスイッチ読取ステップ２１と、該当グループ通信条件読出ステップ２２と、通信条件設定ステップ２３を備えている。ここで、ディップスイッチ読取ステップ２１では、装置各部に電源を供給する電源スイッチがオンになったとき、無線基板に実装されたグループ識別用の特定のディップスイッチを構成する複数のスイッチのオン・オフの組み合わせを読み取る。該当グループ通信条件読出ステップ２２では、特定の通信形態の無線通信を行う際の通信条件が全世界的に統一されていないときこれらの通信条件の違いを国や地域ごとのグループに分けて各グループの通信条件をテーブル化した通信条件対応テーブルからディップスイッチ読取ステップ２１で読み取った前記した複数のスイッチのオン・オフの組み合わせに対応するグループの種類についての通信条件を読み出す。通信条件設定ステップ２３では、無線通信を行うための無線通信手段を前記した該当グループ通信条件読出ステップ２２で読み出した通信条件に設定する。
【００２０】
図３は、本発明の無線通信設定プログラムのクレーム対応図を示したものである。本発明の無線通信設定プログラム３０は、コンピュータに、ディップスイッチ読取処理３１と、該当グループ通信条件読出処理３２と、通信条件設定処理３３を実行させるようにしている。ここで、ディップスイッチ読取処理３１では、装置各部に電源を供給する電源スイッチがオンになったとき、無線基板に実装されたグループ識別用の特定のディップスイッチを構成する複数のスイッチのオン・オフの組み合わせを読み取る。該当グループ通信条件読出処理３２では、特定の通信形態の無線通信を行う際の通信条件が全世界的に統一されていないときこれらの通信条件の違いを国や地域ごとのグループに分けて各グループの通信条件をテーブル化した通信条件対応テーブルからディップスイッチ読取処理３１で読み取った前記した複数のスイッチのオン・オフの組み合わせに対応するグループの種類についての通信条件を読み出す。通信条件設定処理３３では、無線通信を行うための無線通信手段を該当グループ通信条件読出処理３２で読み出した通信条件に設定する。
【００２１】
＜発明の実施の形態＞
【００２２】
次に本発明の実施の形態を説明する。
【００２３】
図４は、本発明の実施の形態による無線通信装置の一例としての無線ＬＡＮユニットの構成の概要を表わしたものである。この無線ＬＡＮユニット１００は、その装置本体１０１の内部に無線基板１０２を配置した構成となっている。無線ＬＡＮユニット１００は、国内および海外各地域に対応する製品となっている。
【００２４】
図５は、無線ＬＡＮユニットの内部に配置された無線基板の回路構成の概要を表わしたものである。無線基板１０２は、ＣＰＵ（Central Processing Unit）１１１と、プログラム格納部１１２と、ＧＰＩＯ（General Purpose Input/Output）インタフェース１１３、ＳＤＩＯ（Secure Digital Input/Output）インタフェース１１４およびＵＳＢ（Universal Serial Bus）インタフェース１１５を備えた制御部１１６を有している。制御部１１６は、メモリ部１１７と、使用国あるいは地域を指定するディップスイッチ（Dual In-line Package switch）１１８と、図４に示した装置本体１０１内の各部と接続する所定数のコネクタからなるコネクタ部１１９および無線ＬＡＮモジュール１２０と接続され、これらの制御を行うようになっている。
【００２５】
ここでプログラム格納部１１２は、ＣＰＵ１１１が実行する各種の制御プログラムを格納したＲＯＭ（Read Only Memory）によって構成されている。ＧＰＩＯインタフェース１１３は、制御部１１６とディップスイッチ１１８を接続するために使用される。ＳＤＩＯインタフェース１１４は、制御部１１６と無線ＬＡＮモジュール１２０を接続するために使用される。また、ＵＳＢインタフェース１１５は、制御部１１６とコネクタ部１１９を接続するために使用される。これらの各インタフェース１１３〜１１５は、一般的に使用されるものなので、詳細な説明を省略する。
【００２６】
メモリ部１１７には、各種のデータを記憶するようになっている。本実施の形態では国内および海外各地域の使用可能チャンネルおよび送信出力データがリージョンコード対応テーブル１１７Ｔとして格納されている。制御部１１６は、メモリ１１５およびディップスイッチ１１８から無線ＬＡＮユニット１００の使用国あるいは地域に合わせた設定情報を読み込んで、その制御情報に応じた制御コマンドを出力するようになっている。無線ＬＡＮモジュール１２０は、アンテナ１２１を接続している。無線ＬＡＮモジュール１２０は制御部１１６の出力した制御コマンドを基にして、無線データを所定の送信出力および周波数の電波信号で外部に送信するようになっている。この電波信号は、無線ＬＡＮモジュール１２０によってＩＥＥＥ（Institute of Electrical and Electronic Engineers）８０２．１１ａ、１１ｂ、１１ｇ、１１ｎの無線規格に基づいた電気信号となっている。
【００２７】
図６は、ディップスイッチを構成する各スイッチとＧＰＩＯインタフェースの接続状態を示したものである。図５と共に説明する。
【００２８】
ディップスイッチ１１８は、集積回路のデュアル・インライン・パッケージ（ＤＩＰ）と同じ形状の端子を持つスイッチであり、無線基板１０２に図示しない他の部品と共に実装されている。本実施の形態でディップスイッチ１１８は、それぞれ手動でオン・オフの設定ができる第１〜第３のスイッチＳＷ1〜ＳＷ3で構成されている。ディップスイッチ１１８は、それぞれのオン（ＯＮ）またはオフ（ＯＦＦ）を組み合わせることで、２3すなわち全部で８通りの国や地域の設定を可能にしている。
【００２９】
第１のスイッチＳＷ1は、制御部１１６内のＧＰＩＯインタフェース１１３における第１のＧＰＩＯ（General Purpose Input/Output）１３１と接続されている。第２のスイッチＳＷ2は、同じく制御部１１６内のＧＰＩＯインタフェース１１３における第２のＧＰＩＯ１３２と接続されている。第３のスイッチＳＷ3は、同じく制御部１１６内のＧＰＩＯインタフェース１１３における第３のＧＰＩＯ１３３と接続されている。
【００３０】
第１〜第３のスイッチＳＷ1〜ＳＷ3がオンのとき、それぞれＨ(ハイ)レベルの信号が第１〜第３のＧＰＩＯ１３１〜１３３のうちの対応するものに供給され、オフのときには、それぞれＬ(ロー)レベルの信号が第１〜第３のＧＰＩＯ１３１〜１３３のうちの対応するものに供給される。制御部１１６は、ＧＰＩＯインタフェース１１３を通じてディップスイッチ１１８の設定状態を読み込み、ＨレベルとＬレベルの信号の８通りの組み合わせから国や地域を表わす設定値としてのリージョンコード（region codes）を算出する。
【００３１】
図７は、リージョンコード対応テーブルの一例を表わしたものである。リージョンコード対応テーブル１１７Ｔには、リージョンコードと無線ＬＡＮユニットの無線通信を行う際の通信条件としての使用可能チャンネルおよび送信出力の関係がテーブル化されて格納されている。図６に示したディップスイッチ１１８の第１〜第３のスイッチＳＷ1〜ＳＷ3のオン・オフの組み合わせで、「リージョンコード」は「７」から「０」まで８種類用意されている。たとえば「仕向け地域」が日本の場合、「Ｎｏ．」が「１」の項目が該当し、この場合の国や地域をグループ化した場合の識別コードとしての「リージョンコード」は「７」となる。
【００３２】
このように本実施の形態では無線ＬＡＮを使用する規格あるいは通信条件が全世界的に統一されていない状況に鑑み、これらの通信条件の違いを国や地域ごとのグループ（リージョンコード）に対応させ、通信条件をテーブル化している。したがって、日本を「仕向け地域」として製造する場合、その製造国では「リージョンコード」が「７」となる第１〜第３のスイッチＳＷ1〜ＳＷ3のオン・オフの組み合わせとして、図４に示す無線ＬＡＮユニット１００を製造することになる。また、たとえば北米を「仕向け地域」として製造する場合、その製造国では「リージョンコード」が「６」となる第１〜第３のスイッチＳＷ1〜ＳＷ3のオン・オフの組み合わせとして、無線ＬＡＮユニット１００を製造する。
【００３３】
図８は、無線ＬＡＮユニットにおける無線ＬＡＮモジュールの初期設定処理の様子を表わしたものである。図４〜図７と共に説明する。
【００３４】
無線ＬＡＮユニット１００の装置本体１０１に配置された図示しない電源スイッチをオンにすると、制御部１１６のＣＰＵ１１１は、プログラム格納部１１２に格納されている制御プログラムの実行を開始する。これにより、制御部１１６は、まずＧＰＩＯインタフェース１１３を通じてディップスイッチ１１８の設定状態としての第１〜第３のスイッチＳＷ1〜ＳＷ3のオン・オフ状態の組み合わせを読み取る（ステップＳ２０１）。
【００３５】
制御部１１６は、この読み取った第１〜第３のスイッチＳＷ1〜ＳＷ3のオン・オフ状態を、メモリ部１１７に格納されたリージョンコード対応テーブル１１７Ｔと照合してリージョンコードを算出する（ステップＳ２０２）。先に説明したように日本を「仕向け地域」として製造した無線ＬＡＮユニット１００の場合には、リージョンコードとして「７」が算出される。このとき、制御部１１６は、該当するリージョンコードに関連付けされた使用可能チャンネルおよび送信出力データの読み取りも行う（同ステップＳ２０２）。
【００３６】
制御部１１６は、ＳＤＩＯインタフェース１１４を用いて、読み取った使用可能チャンネルおよび送信出力データを無線ＬＡＮモジュール１２０に出力する（ステップＳ２０３）。無線ＬＡＮモジュール１２０は、これを基にして使用可能チャンネルおよび送信出力の設定を行う（ステップＳ２０４）。たとえばリージョンコードとして「７」が読み取られたとき、図７に示すリージョンコード対応テーブル１１７Ｔから日本を「仕向け地域」とする使用可能チャンネルおよび送信出力設定値が読み取られて無線ＬＡＮモジュール１２０に設定される。以上により、無線ＬＡＮモジュール１２０の初期設定処理が終了する（エンド）。
【００３７】
このように本実施の形態の無線ＬＡＮユニット１００では、その電源が投入されるたびに無線ＬＡＮモジュール１２０の初期設定が行われる。ただし、電源スイッチが投入されるたびに無線ＬＡＮモジュール１２０の初期設定が行われる必要はない。
【００３８】
たとえば図示しない電源プラグが商用電源に接続されている状態で、電源スイッチがソフトウェア的に電源をオン・オフするような無線ＬＡＮユニット１００が存在する。このような無線ＬＡＮユニット１００では、図示しない電源プラグを図示しない商用電源のコンセントに接続している状態では、たとえ電源スイッチがオフにされても、無線ＬＡＮモジュール１２０の設定状態を保持するようにしてもよい。この例の場合には、電源プラグを商用電源のコンセントに接続するたびに、ディップスイッチ１１８の設定状態に応じた無線ＬＡＮモジュール１２０の初期設定が行われることになる。
【００３９】
無線ＬＡＮユニット１００が電池によって駆動される場合にも、その電池が装置内にセットされている間は、電源スイッチのオン・オフに係わらず無線ＬＡＮモジュール１２０に対して一度行った設定状態を保持するようにしてもよいし、電源スイッチがオンになるたびに初期設定を行ってもよい。
【００４０】
無線ＬＡＮユニット１００の制御部１１６はＵＳＢインタフェース１１５を介してコネクタ部１１９と接続されている。したがって、制御部１１６は無線ＬＡＮモジュール１２０の初期設定の終了後にコネクタ部１１９を経由して入力される電気信号を、ＳＤＩＯインタフェース１１４を介して無線ＬＡＮモジュール１２０に送出する。無線ＬＡＮモジュール１２０は、送られてきた電気信号を、「仕向け地域」に対応して設定されたチャンネルおよび送信出力の電波信号に変換して、アンテナ１２１から電波として出力することになる。
【００４１】
このように本実施の形態によれば、出荷先の国に対応するリージョンコードで無線ＬＡＮユニット１００を製造するので、その出荷先の国で電源を投入するたびに無線ＬＡＮモジュール１２０がその「仕向け地域」用に設定された状態で使用されることになる。また、この無線ＬＡＮユニット１００を何らかの事情で出荷先として予定していた国や地域以外の国や地域に出荷したり、出荷後に他の国や地域に移動したような場合には、最初の使用開始時に無線基板１０２のディップスイッチ１１８の外観をチェックすることで、そのまま使用可能な製品であるかを直ちに判別することができる。この判別の結果、無線ＬＡＮユニット１００がその国または地域で使用に適さないと判別した場合には、ディップスイッチ１１８の第１〜第３のスイッチＳＷ1〜ＳＷ3をその国または地域に対応する設定内容に切り替えることで、直ちに適法に使用できる製品とすることができる。
【００４２】
また、本実施の形態によれば、仕向け先の国や地域ごとに異なったデータを書き込んで保存しておくＥＥＰＲＯＭを使用したり、このメモリにデータを書き込む書き込み治具を作製したり購入する必要がない。更に本実施の形態では、ＥＥＰＲＯＭに仕向け先の国や地域専用のデータを治具を使用して書き込む時間あるいは工程を不要にすることができる。
【００４３】
特に書き込み治具を使用してＥＥＰＲＯＭにデータを書き込む場合、従来ではＥＥＰＲＯＭの消去、書き込み、データの検証という３つの工程が必要になった。本実施の形態によれば、図７に示したようなリージョンコード対応テーブル１１７ＴをＲＯＭ等の不揮発性メモリに格納しておいたり、制御プログラムの一部に組み込んでおくだけでよい。
【００４４】
また、本実施の形態によれば、ディップスイッチ１１８を構成する第１〜第３のスイッチＳＷ1〜ＳＷ3をリージョンコードに対応させて設定した。これにより、これらのスイッチのオン・オフ状態を装置自体だけでなく人間が視覚的に確認することができる。また、無線ＬＡＮユニット１００等の無線通信装置を当初想定した国や地域以外で使用する場合には、第１〜第３のスイッチＳＷ1〜ＳＷ3の設定状態を変更することで対応することができる。しかもディップスイッチ１１８は装置本体１０１の内部の無線基板１０２に組み込まれているので、不用意に切り替えが行われることもない。
【００４５】
＜発明の変形可能性＞
【００４６】
図９は、本発明の変形例におけるディップスイッチを構成する各スイッチとＧＰＩＯインタフェースの接続状態を示したものである。ディップスイッチ１１８Ａは、それぞれ手動でオン・オフの設定ができる第１〜第４のスイッチＳＷ1〜ＳＷ4で構成されている。
【００４７】
第１のスイッチＳＷ1は、図示しない制御部内のＧＰＩＯインタフェース１１３Ａにおける第１のＧＰＩＯ１３１と接続されている。第２のスイッチＳＷ2は、ＧＰＩＯインタフェース１１３Ａにおける第２のＧＰＩＯ１３２と接続されている。第３のスイッチＳＷ3は、ＧＰＩＯインタフェース１１３Ａにおける第３のＧＰＩＯ１３３と接続されている。第４のスイッチＳＷ4は、ＧＰＩＯインタフェース１１３Ａにおける第４のＧＰＩＯ１３４と接続されている。
【００４８】
この変形例では、図示しない無線ＬＡＮユニットが９箇所〜１６箇所の国や地域に対応することができる。したがって、この変形例の図示しないリージョンコード対応テーブルは、最大１６箇所のリージョンコードに対応することになる。
【００４９】
なお、以上説明した実施の形態および変形例では無線ＬＡＮモジュールの使用可能チャンネルおよび送信出力を国や地域に対応させてディップスイッチで切り替えることにしたが、通信のためのプロトコルの切り替えを併用してもよいことは当然である。
【００５０】
また、ディップスイッチを構成するスイッチの数は、実施の形態およびその変形例に限定されるものではなく、２個以下であってもよいし、５個以上であってもよい。たとえばディップスイッチを構成するスイッチの数が５個の場合には、３２の国や地域に対応させることができる。
【００５１】
更に実施の形態ではディスプレイを備えていない無線通信装置としての無線ＬＡＮユニット１００について説明したが、液晶ディスプレイ等のディスプレイを備えた無線通信装置に本発明を適用することができる。この場合には、無線ＬＡＮモジュール１２０の初期設定の際にディスプレイに、リージョンコードの算出結果（図８ステップＳ２０２参照）として現時点で適用される国や地域を文字で表示するようにしてもよい。また、無線通信装置によっては現時点で適用される国や地域の表示が行われた段階でユーザの確認を求め、図示しない操作パネルから確認の入力が行われたことを条件として、読み取った使用可能チャンネルおよび送信出力データを無線ＬＡＮモジュール１２０に出力するようにしてもよい（図８ステップＳ２０３参照）。これにより、ユーザは間違った国や地域で不適切な周波数や送信出力を用いて、電波を使用する危険を回避することができる。
【００５２】
以上説明したリージョンコードの算出結果のディスプレイによる表示の代わりに、あるいはこれと併用して英語あるいは該当国の言語による現時点で適用される国や地域の音声出力や必要な警告が無線ＬＡＮモジュール１２０の初期設定の際に行われるようにすることも可能である。
【００５３】
なお、本実施の形態では無線ＬＡＮユニットに本発明を適用する場合を説明したが、これ以外の無線通信が適用される無線通信装置に本発明を適用することは自由である。また、複数のスイッチのオン・オフの組み合わせによって視覚的かつ電気的にグループの種類を特定可能なスイッチデバイスであればディップスイッチ以外のデバイスにも本発明を適用することができる。
【００５４】
以上説明した実施の形態の一部または全部は、以下の付記のようにも記載されるが、以下の記載に限定されるものではない。
【００５５】
（付記１）
特定の通信形態の無線通信を行う際の通信条件が全世界的に統一されていないときこれらの通信条件の違いを国や地域ごとのグループに分けて各グループの通信条件をテーブル化した通信条件対応テーブルを格納する通信条件対応テーブル格納手段と、
前記無線通信を行う無線通信手段と、
この無線通信手段を収容した筐体内部に取り付けられた無線基板に実装され前記グループの種類を複数のスイッチのオン・オフの組み合わせによって視覚的かつ電気的に特定可能なスイッチデバイスと、
このスイッチデバイスを構成する前記複数のスイッチのオン・オフの組み合わせで特定されるグループの種類に対応する通信条件を前記通信条件対応テーブルから読み出す通信条件読出手段と、
この通信条件読出手段の読み出した通信条件に前記無線通信手段を設定する通信条件設定手段
とを具備することを特徴とする無線通信装置。
【００５６】
（付記２）
装置各部に電源を供給する電源スイッチを備え、この電源スイッチがオンになったとき前記通信条件読出手段が前記通信条件対応テーブルからグループの種類に対応する通信条件を読み出し、前記通信条件設定手段がこれを基にしてその読み出した通信条件に前記無線通信手段を設定することを特徴とする付記１記載の無線通信装置。
【００５７】
（付記３）
前記スイッチデバイスを構成する前記複数のスイッチのオン・オフの組み合わせから該当するグループの種類を解読するグループ種類解読手段と、
このグループ種類解読手段の解読したグループの種類に該当する国または地域を表示する該当国・地域表示手段
を更に具備することを特徴とする付記１記載の無線通信装置。
【００５８】
（付記４）
前記特定の通信形態は無線ＬＡＮ（Local Area Network）であることを特徴とする付記１記載の無線通信装置。
【００５９】
（付記５）
前記スイッチデバイスは、ディップスイッチであることを特徴とする付記１記載の無線通信装置。
【００６０】
（付記６）
前記通信条件は、使用できる周波数域としてのチャンネルと、送信出力であることを特徴とする付記１記載の無線通信装置。
【００６１】
（付記７）
前記該当国・地域表示手段がグループ種類解読手段の解読したグループの種類に該当する国または地域を表示し、これに対して承認を示す入力があったとき前記通信条件設定手段が通信条件を設定することを特徴とする付記３記載の無線通信装置。
【００６２】
（付記８）
前記該当国・地域表示手段は、該当する国または地域を視覚的あるいは聴覚的に表示することを特徴とする付記７記載の無線通信装置。
【００６３】
（付記９）
装置各部に電源を供給する電源スイッチがオンになったとき、無線基板に実装されたグループ識別用の特定のディップスイッチを構成する複数のスイッチのオン・オフの組み合わせを読み取るディップスイッチ読取ステップと、
特定の通信形態の無線通信を行う際の通信条件が全世界的に統一されていないときこれらの通信条件の違いを国や地域ごとのグループに分けて各グループの通信条件をテーブル化した通信条件対応テーブルから前記ディップスイッチ読取ステップで読み取った前記複数のスイッチのオン・オフの組み合わせに対応するグループの種類についての通信条件を読み出す該当グループ通信条件読出ステップと、
無線通信を行うための無線通信手段を前記該当グループ通信条件読出ステップで読み出した通信条件に設定する通信条件設定ステップ
とを具備することを特徴とする無線通信設定方法。
【００６４】
（付記１０）
前記該当グループ通信条件読出ステップで該当するグループの通信条件を読み出したときこれをユーザに通知する通知ステップと、この通知ステップで通知した通信条件に対してユーザが承認の入力を行ったときこれを検知する承認入力検知ステップとを更に備え、承認入力検知ステップでユーザが承認の入力を行ったことを検知したときにのみ前記通信条件設定ステップで通信条件を設定することを特徴とする付記９記載の無線通信設定方法。
【００６５】
（付記１１）
コンピュータに、
装置各部に電源を供給する電源スイッチがオンになったとき、無線基板に実装されたグループ識別用の特定のディップスイッチを構成する複数のスイッチのオン・オフの組み合わせを読み取るディップスイッチ読取処理と、
特定の通信形態の無線通信を行う際の通信条件が全世界的に統一されていないときこれらの通信条件の違いを国や地域ごとのグループに分けて各グループの通信条件をテーブル化した通信条件対応テーブルから前記ディップスイッチ読取処理で読み取った前記複数のスイッチのオン・オフの組み合わせに対応するグループの種類についての通信条件を読み出す該当グループ通信条件読出処理と、
無線通信を行うための無線通信手段を前記該当グループ通信条件読出処理で読み出した通信条件に設定する通信条件設定処理
とを実行させることを特徴とする無線通信設定プログラム。
【００６６】
（付記１２）
前記コンピュータに、前記該当グループ通信条件読出処理で該当するグループの通信条件を読み出したときこれをユーザに通知する通知処理と、この通知処理で通知した通信条件に対してユーザが承認の入力を行ったときこれを検知する承認入力検知処理とを更に実行させ、承認入力検知処理でユーザが承認の入力を行ったことを検知したときにのみ前記通信条件設定処理で通信条件を設定することを特徴とする付記１１記載の無線通信設定プログラム。
【符号の説明】
【００６７】
１０  無線通信装置
１１  通信条件対応テーブル格納手段
１２  無線通信手段
１３  スイッチデバイス
１４  通信条件読出手段
１５  通信条件設定手段
２０  無線通信設定方法
２１  ディップスイッチ読取ステップ
２２  該当グループ通信条件読出ステップ
２３  通信条件設定ステップ
３０  無線通信設定プログラム
３１  ディップスイッチ読取処理
３２  該当グループ通信条件読出処理
３３  通信条件設定処理
１００  無線ＬＡＮユニット（無線通信装置）
１０２  無線基板
１１１  ＣＰＵ
１１２  プログラム格納部
１１７Ｔ  リージョンコード対応テーブル
１１８、１１８Ａ  ディップスイッチ
１１９  コネクタ部
１２０  無線ＬＡＮモジュール
ＳＷ1  第１のスイッチ
ＳＷ2  第２のスイッチ
ＳＷ3  第３のスイッチ
ＳＷ4  第４のスイッチ
【図１】
2013165427.tif 000003
【図２】
2013165427.tif 000004
【図３】
2013165427.tif 000005
【図４】
2013165427.tif 000006
【図５】
2013165427.tif 000007
【図６】
2013165427.tif 000008
【図７】
2013165427.tif 000009
【図８】
2013165427.tif 000010
【図９】
2013165427.tif 000011